(57)【特許請求の範囲】
【請求項１】
冷媒を冷却水によって冷却する凝縮器を具備する冷凍機と、前記冷凍機に接続され、ファンが回転して前記冷却水を冷却する冷却塔とを備える熱源システムに適用される冷却塔制御装置であって、
第１目標温度は、前記冷却水を通常制御により冷却する場合の目標温度であり、
前記冷凍機の起動時から第１所定期間、前記冷凍機の入口における冷却水入口目標温度を予め設定された前記第１目標温度より第１所定温度小さい第２目標温度に設定し、該第２目標温度に基づいて前記冷却塔のファン周波数、および／またはファンの起動台数を設定する冷却塔制御装置。
【請求項２】
前記冷凍機の起動時から前記第１所定期間が経過後に、前記冷却水入口目標温度を前記第２目標温度から前記第１目標温度に変更する請求項１に記載の冷却塔制御装置。
【請求項３】
前記冷凍機の入口における冷却水入口温度の温度変化が所定範囲以下の場合に、前記冷却水入口目標温度を前記第１目標温度に設定する請求項１に記載の冷却塔制御装置。
【請求項４】
冷媒を冷却水によって冷却する凝縮器を具備する冷凍機と、前記冷凍機に接続され、ファンが回転して前記冷却水を冷却する冷却塔とを備える熱源システムに適用される冷却塔制御装置であって、
前記冷凍機の起動時から第２所定期間、前記冷却塔のファン周波数は、冷却水を通常冷却するときの所定周波数よりも高い周波数に設定する、および／または前記冷却塔のファンの起動台数は、冷却水を通常冷却するときの前記ファンの起動台数より多く設定する冷却塔制御装置。
【請求項５】
前記冷凍機の起動時から前記第２所定期間が経過後に、前記冷却塔の前記ファン周波数を前記所定周波数よりも高い周波数から、前記所定周波数に変更する請求項４に記載の冷却塔制御装置。
【請求項６】
前記冷凍機の起動時から前記第２所定期間が経過後に、前記冷却塔のファンの起動台数を、冷却水を通常冷却するときの前記ファンの起動台数に変更する請求項４に記載の冷却塔制御装置。
【請求項７】
前記冷凍機の入口における冷却水入口温度の温度変化が所定範囲以下の場合に、前記冷却塔の前記ファン周波数を前記所定周波数よりも高い周波数から、前記所定周波数に設定する請求項４に記載の冷却塔制御装置。
【請求項８】
前記冷凍機の入口における冷却水入口温度の温度変化が所定範囲以下の場合に、前記冷却塔のファンの起動台数を、冷却水を通常冷却するときの前記ファンの起動台数に変更する請求項４に記載の冷却塔制御装置。
【請求項９】
冷凍機と、
前記冷凍機に対して接続された冷却塔と、
請求項１から請求項８のいずれかに記載の冷却塔制御装置と
を具備する熱源システム。
【請求項１０】
冷媒を冷却水によって冷却する凝縮器を具備する冷凍機と、前記冷凍機に接続され、ファンが回転して前記冷却水を冷却する冷却塔とを備える熱源システムに適用される冷却塔制御方法であって、
第１目標温度は、前記冷却水を通常制御により冷却する場合の目標温度であり、
前記冷凍機の起動時から第１所定期間、前記冷凍機の入口における冷却水入口目標温度を予め設定された前記第１目標温度より第１所定温度小さい第２目標温度に設定し、該第２目標温度に基づいて前記冷却塔のファン周波数、および／またはファンの起動台数を設定する冷却塔制御方法。
【請求項１１】
冷媒を冷却水によって冷却する凝縮器を具備する冷凍機と、前記冷凍機に接続され、ファンが回転して前記冷却水を冷却する冷却塔とを備える熱源システムに適用される冷却塔制御方法であって、
前記冷凍機の起動時から第２所定期間、前記冷却塔のファン周波数は、冷却水を通常冷却するときの所定周波数よりも高い周波数に設定する、および／または前記冷却塔のファンの起動台数は、冷却水を通常冷却するときの前記ファンの起動台数より多く設定する冷却塔制御方法。
【発明の詳細な説明】
【技術分野】
【０００１】
本発明は、熱源システムに係り、特に、熱源システムが備える冷却塔を制御する冷却塔制御装置及びその方法に関するものである。
【背景技術】
【０００２】
従来、熱源システムにおける冷却塔の制御方法として、下記特許文献１に開示されている方法が知られている。特許文献１には、ターボ冷凍機を起動してから所定時間において冷却水流量を上昇させて、冷媒温度の増大に伴う凝縮圧力高故障を防止する方法が開示されている。
【先行技術文献】
【特許文献】
【０００３】
【特許文献１】特開２０１２−２２９８２３号公報
【発明の概要】
【発明が解決しようとする課題】
【０００４】
しかしながら、上記特許文献１の方法では、冷水負荷が高い状態から制御を開始した場合に、冷凍機の能力発揮から少し遅れて冷却水温度が上昇し始め、冷却塔のファン周波数がそれに比例して上昇していく。そのため、冷凍機の能力発揮に対して冷却塔のファン周波数の上昇に遅れが生じる。これにより、冷却水温度が上昇し、冷却水流量を上昇させるだけでは冷媒の冷却が間に合わずに、凝縮器圧力高が発生する可能性があり、凝縮器圧力高を防ぐという課題を解決できなかった。
【０００５】
本発明は、このような事情に鑑みてなされたものであって、冷却水の冷却の遅れを可及的に小さくして冷凍機の凝縮器圧力高を防ぎ、冷凍機トリップを防ぐことのできる冷却塔制御装置、冷却塔制御方法、及び熱源システムを提供することを目的とする。
【課題を解決するための手段】
【０００６】
上記課題を解決するために、本発明は以下の手段を採用する。
本発明は、冷媒を冷却水によって冷却する凝縮器を具備する冷凍機と、前記冷凍機に接続され、ファンが回転して前記冷却水を冷却する冷却塔とを備える熱源システムに適用される冷却塔制御装置であって、第１目標温度は、前記冷却水を通常制御により冷却する場合の目標温度であり、前記冷凍機の起動時から第１所定期間、前記冷凍機の入口における冷却水入口目標温度を予め設定された前記第１目標温度より第１所定温度小さい第２目標温度に設定し、該第２目標温度に基づいて前記冷却塔のファン周波数、および／またはファンの起動台数を設定する冷却塔制御装置を提供する。
【０００７】
本発明によれば、冷凍機の起動時から第１所定期間は、冷凍機入口の冷却水入口目標温度が、予め設定された第１目標温度よりも第１所定温度小さい第２目標温度とされ、第２目標温度に基づいて冷却塔のファン周波数および／またはファンの起動台数が設定される。
つまり、冷凍機の起動時から第１所定期間に、冷却水入口目標温度にオフセットをかけ、第２目標温度にすることによって、予め冷却塔のファン周波数を上げて、および／またはファンの起動台数を増やして、風量を増加させるので、冷却水の冷却能力が上がる。このように、冷凍機の起動に伴って先行的にファン周波数および／またはファンの起動台数を制御することにより、冷却塔における冷却水の冷却の遅れを可及的に小さくし、冷凍機の凝縮器圧力高を防ぎ、冷凍機トリップを回避できる。なお、外気温度は、外気湿球温度計により計測されることが好ましい。予め設定された第１目標温度とは、通常の使用態様で設定されている温度であり、例えば、外気温度に応じて設定される目標温度である。
【０００８】
上記冷却塔制御装置において、前記冷凍機の起動時から前記第１所定期間が経過後に、前記冷却水入口目標温度を前記第２目標温度から前記第１目標温度に変更してもよい。
【０００９】
これにより、簡便に冷却水入口目標温度のオフセットを解除し、冷却水入口目標温度を第１目標温度に戻すことができる。
【００１０】
上記冷却塔制御装置において、前記冷凍機の入口における冷却水入口温度の温度変化が所定範囲以下の場合に、前記冷却水入口目標温度を前記第１目標温度に設定してもよい。
【００１１】
第１所定期間が経過しているか否かによって第１目標温度に変更する場合には、冷凍機の能力発揮が冷却水温度に顕在化していないにも関わらず冷却水入口目標温度を第１目標温度に戻す可能性や、冷凍機の能力発揮が冷却水温度に顕在化しているにも関わらず必要以上のファン周波数、および／またはファンの起動台数で冷却塔を運転して余分な電力を消費してしまう可能性がある。
本発明によれば、冷却水入口温度の温度変化が所定範囲以下、すなわち、冷却水入口温度が安定したと判定されてから、冷却水入口目標温度を予め設定された第１目標温度に設定するので、目標温度の変更が早すぎたり遅すぎたりすることを防ぎ、適切なタイミングで目標温度の変更を行い、凝縮器圧力高を防ぐことにより冷凍機トリップ及び消費電力の増加を防止する。
【００１２】
本発明は、冷媒を冷却水によって冷却する凝縮器を具備する冷凍機と、前記冷凍機に接続され、ファンが回転して前記冷却水を冷却する冷却塔とを備える熱源システムに適用される冷却塔制御装置であって、前記冷凍機の起動時から第２所定期間、前記冷却塔のファン周波数は、冷却水を通常冷却するときの所定周波数よりも高い周波数に設定する、および／または前記冷却塔のファンの起動台数は、冷却水を通常冷却するときの前記ファンの起動台数より多く設定する冷却塔制御装置を提供する。
【００１３】
本発明の構成によれば、冷凍機の起動時から第２所定期間は、冷却塔のファン周波数が、冷却水を通常冷却するときの所定周波数よりも高い周波数に設定される、および／または冷却塔のファン起動台数が、冷却水を通常冷却するときのファンの起動台数より多く設定される。冷凍機の出力に応じて後から冷却塔の出力が出るため冷凍機の起動に伴って冷却水温度が上昇するが、本発明によれば、冷凍機の起動時から第２所定期間はファン周波数を高めの周波数に設定、および／またはファンの起動台数を多めに設定することで、先行的に冷却水を冷却でき、遅れて発生する冷却水温度の上昇に備えることができる。
【００１４】
上記冷却塔制御装置は、前記冷凍機の起動時から前記第２所定期間が経過後に、前記冷却塔の前記ファン周波数を前記所定周波数よりも高い周波数から、前記所定周波数に変更してもよい。
これにより、簡便にファン周波数のオフセットを解除することができる。
【００１５】
上記冷却塔制御装置は、前記冷凍機の起動時から前記第２所定期間が経過後に、前記冷却塔のファンの起動台数を、冷却水を通常冷却するときの前記ファンの起動台数に変更してもよい。
これにより、簡便にファンの起動台数を元に戻すことができる。
【００１６】
上記冷却塔制御装置は、前記冷凍機の入口における冷却水入口温度の温度変化が所定範囲以下の場合に、前記冷却塔の前記ファン周波数を前記所定周波数よりも高い周波数から、前記所定周波数に設定してもよい。
【００１７】
第２所定期間が経過しているか否かによってファン周波数を変更すると判定する場合には、冷凍機の能力発揮が冷却水温度に顕在化していないにも関わらず、所定周波数に早い段階で戻してしまう可能性や、冷凍機の能力発揮が冷却水温度に顕在化しているにも関わらず必要以上のファン周波数、および／または必要以上のファンの起動台数で冷却塔を運転して余分な電力を消費してしまう可能性がある。
本発明によれば、冷却水入口温度が安定したと判定されてから、冷却塔のファン周波数を、所定周波数よりも高い周波数から所定周波数に設定するので、周波数の変更が早すぎたり遅すぎたりすることなく適切なタイミングで行うことができ、凝縮器圧力高を防ぐことにより冷凍機トリップ及び消費電力の増加を防止できる。
【００１８】
上記冷却塔制御装置は、前記冷凍機の入口における冷却水入口温度の温度変化が所定範囲以下の場合に、前記冷却塔のファンの起動台数を、冷却水を通常冷却するときの前記ファンの起動台数に変更してもよい。
【００１９】
本発明によれば、冷却水入口温度が安定したと判定されてから、冷却塔のファン周波数を、冷却塔のファンの起動台数を、冷却水を通常冷却するときの前記ファンの起動台数に変更するので、起動台数の変更が早すぎたり遅すぎたりすることなく適切なタイミングで行うことができ、凝縮器圧力高の防止による冷凍機トリップ及び消費電力の増加を防止できる。
【００２０】
本発明は、冷凍機と、前記冷凍機に対して接続された冷却塔と、上記いずれかに記載の冷却塔制御装置とを具備する熱源システムを提供する。
【００２１】
本発明は、冷媒を冷却水によって冷却する凝縮器を具備する冷凍機と、前記冷凍機に接続され、ファンが回転して前記冷却水を冷却する冷却塔とを備える熱源システムに適用される冷却塔制御方法であって、第１目標温度は、前記冷却水を通常制御により冷却する場合の目標温度であり、前記冷凍機の起動時から第１所定期間、前記冷凍機の入口における冷却水入口目標温度を予め設定された前記第１目標温度より第１所定温度小さい第２目標温度に設定し、該第２目標温度に基づいて前記冷却塔のファン周波数、および／またはファンの起動台数を設定する冷却塔制御方法を提供する。
【００２２】
本発明は、冷媒を冷却水によって冷却する凝縮器を具備する冷凍機と、前記冷凍機に接続され、ファンが回転して前記冷却水を冷却する冷却塔とを備える熱源システムに適用される冷却塔制御方法であって、前記冷凍機の起動時から第２所定期間、前記冷却塔のファン周波数は、冷却水を通常冷却するときの所定周波数よりも高い周波数に設定する、および／または前記冷却塔のファンの起動台数は、冷却水を通常冷却するときの前記ファンの起動台数より多く設定する冷却塔制御方法を提供する。
【発明の効果】
【００２３】
本発明は、冷却水の冷却の遅れを可及的に小さくでき、冷凍機の凝縮器圧力高トリップを防ぐことができることがという効果を奏する。
【図面の簡単な説明】
【００２４】
【図１】本発明の第１の実施形態に係る熱源システムの構成を概略的に示した図である。
【図２】本発明の第１の実施形態に係る冷却塔制御装置の機能ブロック図である。
【図３】本発明の第１の実施形態に係る熱源システムの制御系の構成を概略的に示した図である。
【図４】本発明の第１の実施形態に係る冷却塔制御装置の動作フローである。
【図５】本発明の第１の実施形態に係る冷却塔制御装置を用いない場合に生じる凝縮器圧力高トリップを説明するための図である。
【図６】本発明の第１の実施形態に係る冷却塔制御装置を用いない場合の冷却塔のファン周波数の時間傾向（シミュレーション結果）を示した図の一例である。
【図７】本発明の第１の実施形態に係る冷却塔制御装置を用いる場合の冷却塔のファン周波数の時間傾向（シミュレーション結果）を示した図の一例である。
【図８】本発明の第１の実施形態の変形例に係る冷却塔制御装置の動作フローである。
【図９】本発明の第２の実施形態に係る熱源システムの制御系の構成を概略的に示した図である。
【図１０】本発明の第２の実施形態に係る冷却塔制御装置の動作フローである。
【図１１】本発明の第３の実施形態に係る熱源システムの構成を概略的に示した図である。
【図１２】本発明の第３の実施形態に係る冷却塔制御装置の動作フローである。
【発明を実施するための形態】
【００２５】
以下に、本発明の実施形態に係る冷却塔制御装置、冷却塔制御方法、及び熱源システムについて図面を参照して説明する。
〔第１の実施形態〕
図１は、本発明の第１の実施形態に係る熱源システムの構成を概略的に示した図である。図１に示すように、熱源システム１は、冷凍機２と、冷凍機２と並列に接続され、ファンが回転して冷却する３台の冷却塔３ａ，３ｂ，３ｃと、冷却塔３ａ，３ｂ，３ｃの制御を行う冷却塔制御装置４とを備えている。図１では、３台の冷却塔を備えている場合を例示しているが、冷却塔の台数については限定されない。なお、以下特に明記しない場合には冷却塔は冷却塔３として記載する。
【００２６】
冷凍機２は、凝縮器２１と蒸発器２２とを備えている。
凝縮器２１は、行き配管６と還り配管７の冷却水配管が接続されており、冷却塔３ａ，３ｂ，３ｃにより冷却された冷却水Ｗ１が、冷却水配管を介して送給され、冷却水によって冷媒を冷却する。
蒸発器２２は、冷水配管５１，５２が接続されており、冷水配管５１，５２を介して外部負荷５０から冷水Ｗ２が送給され、冷水Ｗ２と冷媒を熱交換させて蒸発させる。蒸発器２２にて冷却された冷水Ｗ２は外部負荷５０に供給される。
【００２７】
各冷却塔３ａ，３ｂ，３ｃは、ファンが回転することにより冷却水を冷却する。各冷却塔３ａ，３ｂ，３ｃは、往き配管６を介して冷凍機２と接続され、冷凍機２で利用された冷却水が供給され、冷却塔３で冷却された冷却水を還り配管７を介して接続される冷凍機２に供給する。
往き配管６には送水ヘッダ８が設けられ、還り配管７には還水ヘッダ９が設けられている。還り配管７における還水ヘッダ９よりも冷却水流れの下流側には冷却水ポンプ１０が設けられている。冷却水ポンプ１０の出力を調整することで、冷却塔３ａ，３ｂ，３ｃと凝縮器２１の間で冷却水Ｗ１を循環させる。送水ヘッダ８と還水ヘッダ９との間にはバイパス配管１２が設けられている。バイパス配管１２には冷却水バイパス弁（バイパス弁）１３が設けられている。冷却水バイパス弁１３の開度を調整することにより、送水ヘッダ８から還水ヘッダ９へバイパスさせる流量が調整される。
【００２８】
還り配管７において、還水ヘッダ９よりも冷却水流れの下流側には、冷却塔３ａ，３ｂ，３ｃにおいて冷却されて冷凍機２に流入される冷却水の温度（以下「冷却水入口温度Ｔ３」という。）を計測する温度センサ１７が設けられている。温度センサ１７で計測された冷却水入口温度Ｔ３の情報は冷却塔制御装置４へ出力される。
熱源システム１は、各冷却塔３ａ，３ｂ，３ｃに対応して湿球温度計２３ａ，２３ｂ，２３ｃを備えている。湿球温度計２３ａ，２３ｂ，２３ｃは、外気の湿球温度を計測し、計測されたそれぞれの湿球温度の情報を冷却塔制御装置４に出力する。
【００２９】
冷却塔制御装置４は、温度センサ１７で検出された冷却水入口温度Ｔ３の情報、および湿球温度計２３ａ，２３ｂ，２３ｃで計測された外気湿球温度の情報を取得する。
【００３０】
冷却塔制御装置４は、例えば、コンピュータであり、ＣＰＵ（中央演算処理装置）、ＲＡＭ（Ｒａｎｄｏｍ  Ａｃｃｅｓｓ  Ｍｅｍｏｒｙ）等の主記憶装置、補助記憶装置、外部の機器と通信を行うことにより情報の授受を行う通信装置などを備えている。
補助記憶装置は、コンピュータ読取可能な記録媒体であり、例えば、磁気ディスク、光磁気ディスク、ＣＤ−ＲＯＭ、ＤＶＤ−ＲＯＭ、半導体メモリ等である。この補助記憶装置には、各種プログラムが格納されており、ＣＰＵが補助記憶装置から主記憶装置にプログラムを読み出し、実行することにより種々の処理を実現させる。
【００３１】
図２は、冷却塔制御装置４の電気的な構成を示した機能ブロック図である。
冷却塔制御装置４は、冷凍機２の起動時から第１所定期間、冷凍機２の入口における冷却水入口目標温度を予め設定された第１目標温度より第１所定温度小さい第２目標温度に設定し、第２目標温度に基づいて冷却塔３ａ，３ｂ，３ｃのファン周波数を設定する。予め設定された第１目標温度とは、通常の使用態様で設定されている温度であり、例えば、外気温度に応じて設定される目標温度である。本実施形態においては、外気温度に応じて設定される目標温度を第１目標温度として説明する。
なお、このように冷却水入口目標温度を第２目標温度に設定するのは、例えば、日本においては夏場のように外気湿球温度が高い場合のみ行う。外気湿球温度が高い場合には熱負荷が高く冷却塔の冷却水温度も高くなりやすいためである。
【００３２】
冷却水入口目標温度は、一般的には｛（外気湿球温度）＋（所定値α［℃］）｝によって決定されるが、本実施形態においては、｛（外気湿球温度）＋（所定値α［℃］）−（第１所定温度）｝によって決定される。
このように、冷凍機２の起動時に、冷却水を通常制御（後述する）により冷却する場合よりも冷却水入口目標温度が低く設定されるので、冷却塔３のファン周波数は高く設定されることとなる。
また、第１所定期間は、冷凍機が起動後、冷凍能力発揮までに時間がかかることを勘案し、冷凍機の冷凍能力発揮の影響が冷却水の温度に反映されるまでの時間として経験等に基づいて設定されるものとする。
【００３３】
具体的には、冷却塔制御装置４は、タイマ４１と、目標温度設定部４２と、制御部４３と、記憶部４４とを具備している。
記憶部４４は、外気温度と、外気温度に応じて設定される冷凍機２の入口における冷却水入口目標温度である第１目標温度とを対応付けた対応情報を記憶している。また、第１所定温度の情報を記憶している。第１所定温度とは、第１目標温度から第２目標温度に温度を下げるためのオフセット値（例えば、２［℃］）である。
なお、第１所定温度は、例えば湿球温度が閾値を超えるまでは±０℃としておき、閾値以降は湿球温度の増加に伴って一定の割合で増加する。
【００３４】
タイマ４１は、冷凍機２の起動時から所定期間を計測する。
目標温度設定部４２は、記憶部４４の対応情報に基づいて、取得した外気湿球温度（外気温度）の情報に対応する第１目標温度を読み出すとともに、該第１目標温度から第１所定温度小さい第２目標温度を算出し、制御部４３に出力する。
制御部４３は、目標温度設定部４２から取得した第２目標温度に基づいて、冷却塔３のファン周波数を設定する。
【００３５】
図３には、冷却塔３のファン周波数制御の制御系を示している。
目標温度設定部４２は、冷却水入口目標温度として第１目標温度を選択する点Ａと、冷却水入口目標温度として第１目標温度からオフセット値（第１所定温度）を減算後の第２目標温度を選択する点Ｂとを切り替える切替部４２ａを有している。例えば、切替部４２ａは、タイマ４１によって計測された期間が冷凍機２の起動時から第１所定期間が経過するまでは点Ｂ側に接続されており、タイマ４１によって計測された期間が冷凍機２の起動時から第１所定期間経過した後には点Ａ側に接続される。
【００３６】
減算器４５は、切替部４２ａによって選択された第１目標温度または第２目標温度と、温度センサ１７で検出された冷却水入口温度Ｔ３との差を算出し、ＰＩ制御部４６に出力する。
ＰＩ制御部４６は、減算器４５により算出された偏差を低減するように、冷却塔３のファン周波数指令値を決定し、制御部４３に出力する。なお、本実施形態において、通常制御という場合には、切替部４２ａが点Ａに接続されていてＰＩ制御される場合を意味する。
制御部４３は、取得したファン周波数指令値に基づいて、冷却塔３を制御する。
【００３７】
本実施形態に係る冷却塔制御装置４によって実行される処理について、図４を用いて説明する。なお、以下の説明では、冷却塔３の制御にファン周波数を用いることを例に挙げて説明する。
湿球温度計２３ａ，２３ｂ，２３ｃで検出される外部湿球温度が、第２所定温度以上か否かが判定される（図４のステップＳＡ１）。外部湿球温度が第２所定温度未満と判定された場合には（図４のステップＳＡ１のＮｏ）、切替部４２ａがＡ側に接続され、冷却水入口目標温度を第１目標温度とし、第１目標温度と冷却水入口温度Ｔ３との偏差が低減するようにファン周波数をＰＩ制御する制御量としてファン周波数指令値を求め、ファン周波数指令値に基づいて冷却塔３が制御され（図４のステップＳＡ７）、ステップＳＡ１に戻る。
外部湿球温度が、第２所定温度以上であると判定された場合には（図４のステップＳＡ１のＹｅｓ）、新たな冷凍機２が起動されたか否かが判定される（図４のステップＳＡ２）。
【００３８】
新たな冷凍機２が起動されていない場合には（図４のステップＳＡ２のＮｏ）、ステップＳＡ７に進む。新たな冷凍機２が起動された場合には（図４のステップＳＡ２のＹｅｓ）、切替部４２ａがＢ側に接続され、冷却水入口目標温度として、第１目標温度からオフセット値を減算した第２目標温度を算出する（図４のステップＳＡ３）。第２目標温度と冷却水入口温度Ｔ３との偏差を低減するようにファン周波数をＰＩ制御する制御量としてファン周波数指令値を求め、ファン周波数指令値に基づいて冷却塔３が制御される。第２目標温度は、第１目標温度よりも温度が小さいので、冷却水入口目標温度として第１目標温度が選択される場合よりも、冷却塔３のファン周波数は高くなる。これにより、第２目標温度が選択された場合は、第１目標温度を選択する場合よりも、冷却水Ｗ１の冷却が進む。また、冷凍機２の起動に伴って先行的にファン周波数を上げるので、冷却水Ｗ１の冷却に遅れが出ない。
また、新たな冷凍機２が起動されたことにより、タイマ４１が起動され、新たな冷凍機２が起動されてからの期間が計測される（図４のステップＳＡ４）。
【００３９】
新たな冷凍機２が起動されてから第１所定期間が経過したか否かが判定される（図４のステップＳＡ５）。第１所定期間が経過していない場合には（図４のステップＳＡ５のＮｏ）、冷凍機トリップが発生したか否かが判定される（図４のステップＳＡ６）。冷凍機トリップが発生した場合には（図４のステップＳＡ６のＹｅｓ）、ステップＳＡ７に進み、冷凍機トリップが発生していない場合には（図４のステップＳＡ６のＮｏ）、ステップＳＡ５に戻り、第１所定期間が経過したか否かの判定を繰り返す。
一方、ステップＳＡ５において、第１所定期間が経過した場合には（図４のステップＳＡ５のＹｅｓ）、ステップＳＡ７に進み、切替部４２ａがＡ側に接続され、冷却水入口目標温度として第１目標温度が選択され、ステップＳＡ１に戻る。
【００４０】
以上説明してきたように、本実施形態に係る冷却塔制御装置４、冷却塔制御方法、及び熱源システム１によれば、冷凍機２の起動時から第１所定期間は、冷凍機入口の冷却水入口目標温度が、外気湿球温度に応じて設定される第１目標温度よりも第１所定温度小さい第２目標温度とされ、第２目標温度に基づいて冷却塔３のファン周波数が設定される。
つまり、冷凍機２の起動時から第１所定期間に、冷却水入口目標温度にオフセット値をかけ、第２目標温度にすることによって、予め冷却塔３のファン周波数を上げて風量を増加させるので、冷却水Ｗ１の冷却能力が上がる。このように、冷凍機２の起動に伴って先行的に冷却塔３のファン周波数を制御することにより、冷却塔３における冷却水Ｗ１の冷却に遅れが出ず、凝縮器圧力高を防止し、冷凍機２のトリップを回避できる。
【００４１】
図５は、本実施形態にかかる冷却塔制御装置４を用いない場合に生じる凝縮器圧力高トリップを説明するための図である。図５の実線は冷却水入口温度を示し、点線は凝縮器圧力を示し、破線は冷却塔周波数指令を示し、一点鎖線は冷却塔目標温度を示し、二点鎖線は冷凍機負荷率を示している。
時刻ｔ１において、冷凍機の負荷率が上がり始め、新たな冷凍機が起動し、それに伴って時刻ｔ２から徐々に冷却水入口温度が上がっている。また、冷却塔の目標温度は略一定に設定されているので、上昇した冷却水入口温度を低下させるために、冷却水入口温度の上昇に伴って冷却塔のファン周波数指令が上げられる。しかしながら、時刻ｔ２以降で冷却塔のファン周波数が上げられても冷却水温度はその後も上昇が続き、冷却水の冷却が間に合わず、凝縮器圧力が所定圧力に到達し、時刻ｔ３頃にトリップが発生している。
【００４２】
このように、冷凍機の負荷率が上がり新たな冷凍機が起動すると、冷凍機の出力が安定するまで冷却水入口温度が上昇するが、冷却塔制御装置４を用いない場合には、冷却水入口温度の上昇を検出してから冷却水の冷却を開始しているので、冷却水の冷却が間に合わず凝縮器圧力高トリップを防ぐことができない。
そこで、本実施形態の冷却塔制御装置４においては、新たな冷凍機が起動されたら第１所定期間は冷却水入口目標温度を下げることで、冷却塔のファン周波数を高めに設定して冷却水の冷却を促進する。
【００４３】
図６は、本実施形態に係る冷却塔制御装置４を用いない場合の冷却塔のファン周波数の時間傾向（シミュレーション結果）を示した図の一例である。図６では、所定値α［℃］を４［℃］とし、冷却水入口目標温度を、外気湿球温度＋４［℃］としている。
図７は、本実施形態に係る冷却塔制御装置４を用いる場合の冷却塔のファン周波数の時間傾向（シミュレーション結果）を示した図の一例である。図７では、所定値α［℃］を４［℃］とし、第１所定温度を２［℃］とするので、冷却水入口目標温度を、｛（外気湿球温度）＋４［℃］−２［℃］｝＝（外気湿球温度）＋２［℃］としている。
図６及び図７において、実線は温度設定値を示し、破線は冷却水入口温度を示し、一点鎖線は外気湿球温度を示し、二点鎖線はファン周波数を示している。
【００４４】
図６は冷凍機の能力発揮に対して冷却水温度上昇が遅れているため、冷却塔ファン周波数の上昇も遅れてしまい、ファン周波数が非常に不安定となっている。
一方、図７はあらかじめ冷却水入口温度目標値を低い温度に設定するため、早い時間から冷却塔のファン回転数が増速する。そのため、冷却塔のファン周波数が非常に安定する結果が得られた。
このように冷却塔のファン周波数を上げて安定させて運転することにより、ファン周波数の上昇が必要となったときに急激な上昇を強いることが無く、また、冷却水の温度が上がっても凝縮器がトリップすることがない。
【００４５】
〔変形例〕
なお、上記実施形態における冷凍制御装置４は、冷却塔３の制御にファン周波数を用いることを例に挙げて説明していたが、ファン周波数の制御に代えて、冷却塔３のファンの起動台数を制御してもよい。
具体的には、本変形例の冷却塔制御装置４は、上述したタイマ４１と、目標温度設定部４２と、制御部４３と、記憶部４４とを具備しているが、上記第１の実施形態と主に異なる点は、制御部４３が、目標温度設定部４２から取得した第２目標温度に基づいてファンの起動台数を設定する点である。
【００４６】
第１の実施形態で説明したように、冷却水入口目標温度として第２目標温度は、第１目標温度よりも第１所定温度小さい温度に設定されるので、第２目標温度が用いられる場合のファンの起動台数Ｘ２は、第１目標温度が用いられる場合のファンの起動台数Ｘ１よりも多く設定される。つまり、第２目標温度が用いられる場合は、冷却塔３のファンによる風量が増大し、冷却水Ｗ１の冷却が促進される。
なお、本変形例において、通常制御という場合には、切替部４２ａが点Ａに接続されており、第１目標温度と冷却水入口温度Ｔ３との偏差を低減するようにＰＩ制御するためにファン起動台数が決定される場合を意味する。
【００４７】
本変形例に係る冷却塔制御装置４によって実行される処理について、図８を用いて説明する。
湿球温度計２３ａ，２３ｂ，２３ｃで検出される外部湿球温度が、第２所定温度以上か否かが判定される（図８のステップＳＢ１）。外部湿球温度が第２所定温度以上であると判定された場合には（図８のステップＳＢ１のＹｅｓ）、新たな冷凍機２が起動されたか否かが判定される（図８のステップＳＢ２）。外部湿球温度が第２所定温度未満と判定された場合には（図８のステップＳＢ１のＮｏ）、切替部４２ａが点Ａに接続されて通常制御とされ（図８のステップＳＢ９）、ステップＳＢ１に戻る。
【００４８】
新たな冷凍機２が起動されていない場合には（図８のステップＳＢ２のＮｏ）、ステップＳＢ９に進む。新たな冷凍機２が起動された場合には（図８のステップＳＢ２のＹｅｓ）、熱源システム１の制御ロジックにより、湿球温度に応じて通常制御に必要とされる起動台数Ｘ１の冷却塔３のファンが起動される（図８のステップＳＢ３）。さらに、切替部４２ａが点Ｂに接続されて、冷却水の第２目標温度に基づいて決定されるファンの起動台数Ｘ２となるように不足台数分β（＝Ｘ２−Ｘ１）［台］の冷却塔３が追起動される（図８のステップＳＢ４）。冷却水入口目標温度として、第１目標温度からオフセット値を減算した第２目標温度が算出される（図８のステップＳＢ５）。
【００４９】
第２目標温度と冷却水入口温度Ｔ３との偏差を低減するような冷却塔３のファンの起動台数が決定され、冷却塔３のファンの起動台数が制御される。第２目標温度は、第１目標温度よりも温度が小さいので、第１目標温度が選択される場合よりも、第２目標温度が選択された場合の方が冷却塔３のファン起動台数は多くなる。これにより、第２目標温度を選択した場合は第１目標温度を選択した場合よりも、冷却水Ｗ１の冷却が進む。また、冷凍機２の起動に伴って先行的にファン起動台数を増やすことから、冷却水Ｗ１の冷却に遅れが出ない。
【００５０】
新たな冷凍機２が起動されたことにより、タイマ４１が起動され、新たな冷凍機２が起動されてからの期間が計測される（図８のステップＳＢ６）。新たな冷凍機２が起動されてから第１所定期間が経過したか否かが判定される（図８のステップＳＢ７）。第１所定期間が経過していない場合には（図８のステップＳＢ７のＮｏ）、冷凍機トリップが発生したか否かが判定される（図８のステップＳＢ８）。冷凍機トリップが発生した場合には（図８のステップＳＢ８のＹｅｓ）、ステップＳＢ９に進み、冷凍機トリップが発生していない場合には（図８のステップＳＢ８のＮｏ）、ステップＳＢ７に戻り、第１所定期間が経過したか否かの判定を繰り返す。
【００５１】
一方、ステップＳＢ７において、第１所定期間が経過した場合には（図８のステップＳＢ７のＹｅｓ）、ステップＳＢ９に進み、切替部４２ａが点Ａに接続されて通常制御に変更され、ファンの起動台数を起動台数Ｘ１にして、ステップＳＢ１に戻る。なお、冷凍機２を起動してから第１所定期間までの期間（起動時モード）が完了するまでは、通常制御に含まれている冷却塔減段処理は行わない。
【００５２】
以上説明してきたように、本変形例によれば、第２目標温度に応じたファン起動台数を、第１目標温度の場合のファン起動台数よりも多く設定することにより、冷却塔３の風量を増加させ、速やかに冷却水Ｗ１を冷却することができる。
なお、本変形例は、上記第１の実施形態の冷却塔のファン周波数の設定に置き換えて用いられても良いし、上記第１の実施形態の冷却塔のファン周波数の設定と組み合わせて用いられても良い。
なお、本変形例では、ファンの起動台数を増やす場合に、冷却塔の運転台数を増やすこととしてもよいし、１台の冷却塔に複数のファンを設けている場合に、１台の冷却塔におけるファンの運転台数を増やすこととしてもよい。
【００５３】
〔第２の実施形態〕
以下、本発明の第２の実施形態について説明する。本実施形態に設けられる冷却塔制御装置が、冷却塔のファン周波数が所定値より高い周波数で運転される点で第１の実施形態と異なる。本実施形態の熱源システムについて、第１の実施形態と共通する点については説明を省略し、図１、図９を用いて異なる点について主に説明する。
【００５４】
なお、冷却塔のファン周波数の所定値とは、冷却水Ｗ１を通常冷却（通常制御）するときの所定周波数とする。
図９に示すように、本実施形態に係る冷却水制御装置４は目標温度設定部４２’を備えている。
目標温度設定部４２’は、冷却塔３のファン周波数が、冷却水Ｗ１を通常冷却するときの所定周波数を選択するＣ点と、冷却水Ｗ１を通常制御するときの所定周波数よりも高い周波数を選択するＤ点とを有する切替部４２ａ’を備えている。なお、本実施形態において、通常制御という場合には、切替部４２ａが点Ｃに接続され、ファン周波数指令値がＰＩ制御によって制御される場合を意味する。つまり、冷却塔３の冷却水Ｗ１を通常冷却するときの所定周波数とは、冷凍機２の入口における冷却水入口目標温度と冷凍機２の入口における冷却水入口温度との偏差に基づく制御（例えば、図９のＰＩ制御）により決定される周波数とする。
【００５５】
切替部４２ａ’は、例えば、タイマ４１によって計測された期間が冷凍機２の起動時から第２所定期間が経過するまでは点Ｄ側に接続されており、タイマ４１によって計測された期間が冷凍機２の起動時から第２所定期間経過した後には点Ｃ側に接続される。
なお、所定周波数よりも高い周波数とは、例えば、定格周波数であり、記憶部４４等に予め記憶させておいたものを読み出すこととしてもよいし、図示しない入力装置（例えば、キーボード等）によって適宜入力して指定されるものとしてもよい。
例えば、切替部４２ａ’のＤ側のファン周波数指令値が定格周波数に設定されているとし、切替部４２ａ’がＤ側に接続されている場合には、冷却塔３のファン周波数を１００［％］にしやすく、ＰＩ制御による遅れが生じることがない。
【００５６】
本実施形態に係る冷却塔制御装置４によって実行される処理について、図１０を用いて説明する。
湿球温度計２３ａ，２３ｂ，２３ｃで検出される外部湿球温度が、第２所定温度以上か否かが判定される（図１０のステップＳＣ１）。外部湿球温度が第２所定温度未満と判定された場合には（図１０のスップＳＣ１のＮｏ）、切替部４２ａ’がＣ側に接続されており、冷却塔３のファン周波数をＰＩ制御による入力とし、（図１０のステップＳＣ７）、ステップＳＣ１に戻る。
外部湿球温度が、第２所定温度以上であると判定された場合には（図１０のステップＳＣ１のＹｅｓ）、新たな冷凍機２が起動されたか否かが判定される（図１０のステップＳＣ２）。
【００５７】
新たな冷凍機２が起動されていない場合には（図１０のステップＳＣ２のＮｏ）、ステップＳＣ７に進む。新たな冷凍機２が起動された場合には（図１０のステップＳＣ２のＹｅｓ）、切替部４２ａ’がＤ側に切り替えられ、冷却塔３のファン周波数を所定周波数より高い周波数（例えば、定格周波数）とし、Ｄ側で設定されたファン周波数の直接入力に切り替えられる（図１０のステップＳＣ３）。そうして、冷却塔３は、通常制御の冷却によって用いられる所定周波数より高い周波数（例えば、定格周波数）によって制御される。所定周波数より高い周波数で冷却塔３のファン周波数が制御されることにより、通常制御の冷却によって用いられる所定周波数で制御される場合よりも、風量が増大し、冷却水Ｗ１の冷却が進む。また、冷凍機２の起動に伴って先行的に高い周波数のファン周波数で冷却塔３が制御されるので、冷却に遅れが出ない。
【００５８】
また、新たな冷凍機２が起動されたことにより、タイマ４１が起動され、新たな冷凍機２が起動されてからの期間が計測される（図１０のステップＳＣ４）。
新たな冷凍機２が起動されてから第２所定期間が経過したか否かが判定される（図１０のステップＳＣ５）。第２所定期間が経過していない場合には（図１０のステップＳＣ５のＮｏ）、冷凍機トリップが発生したか否かが判定される（図１０のステップＳＣ６）。冷凍機トリップが発生した場合には（図１０のステップＳＣ６のＹｅｓ）、ステップＳＣ７に進み、切替部４２ａ’をＣ側に接続して冷却塔３のファン周波数をＰＩ制御による入力に切り替え、ステップＳＣ１に戻る。冷凍機トリップが発生していない場合には（図１０のステップＳＣ６のＮｏ）、ステップＳＣ５に戻り、第２所定期間が経過したか否かの判定を繰り返す。
【００５９】
一方、ステップＳＣ５において、第２所定期間が経過した場合には（図１０のステップＳＣ５のＹｅｓ）、ステップＳＣ７に進み、切替部４２ａ’をＣ側に接続して冷却塔３のファン周波数をＰＩ制御による入力に切り替え、ステップＳＣ１に戻る。
【００６０】
このように、本実施形態に係る冷却塔制御装置、冷却塔制御方法、及び熱源システムによれば、冷凍機２の起動時には、冷却塔３のファン周波数の指令値を直接入力することができるので、遅れて発生する冷却水温度の上昇に速やかに備えることができる。
【００６１】
〔変形例〕
なお、本実施形態の冷凍機制御装置においては、冷却塔３の制御にファン周波数を用いることを例に挙げて説明していたが、ファン周波数の制御に代えて、冷却塔３のファンの起動台数を制御してもよい。
具体的には、本変形例の冷却塔制御装置４は、上記第２の実施形態のタイマ４１と、目標温度設定部４２’と、制御部４３と、記憶部４４とを具備しているが、上記第２の実施形態と主に異なる点は、制御部４３が、冷凍機２の起動時から第２所定期間は、冷却塔３のファンの起動台数は、冷却水を通常冷却するときのファンの起動台数より多く設定する点である。
【００６２】
切替部４２ａ’は、例えば、タイマ４１によって計測された期間が冷凍機２の起動時から第２所定期間が経過するまでは点Ｄ側に接続しており、タイマ４１によって計測された期間が冷凍機２の起動時から第２所定期間経過した後には点Ｃ側に接続する。
点Ｃ側は、冷却水が通常制御によって冷却される場合に選択されるファンの起動台数である。本変形例において、通常制御という場合には、ＰＩ制御によってファンの起動台数が決められて制御される場合を意味する。
点Ｄ側は、通常制御に起動されるファン起動台数よりも多くファンを起動させる設定である。
【００６３】
このように、ファンの起動台数を直接入力によって指定することにより、簡便に冷却塔３の冷却能力を上げることができる。
なお、本変形例は、上記第２の実施形態の冷却塔のファン周波数の設定に置き換えて用いられてもよりし、上記第２の実施形態の冷却塔のファン周波数の設定と組み合わせて用いられても良い。
【００６４】
〔第３の実施形態〕
以下、本発明の第３の実施形態について説明する。本実施形態に設けられる冷却塔制御装置が、冷却水入口温度の温度変化に基づいて切替部４２ａ、または切替部４２ａ’を切り替える点で第１の実施形態、第２の実施形態と異なる。本実施形態の熱源システムについて、第１の実施形態、第２の実施形態と共通する点については説明を省略し、異なる点について主に説明する。
【００６５】
上述した第１の実施形態および第２の実施形態においては、冷凍機の起動後、タイマ４１により計測される所定期間の経過に基づいて切替部４２ａ、４２ａ’を切り替えていた。このようにタイマ４１による所定期間の経過に基づいて切替部４２ａ，４２ａ’を切り替えると、冷凍機の冷凍能力発揮が冷却水温度に反映されるよりも短い時間で切り替えてしまうことにより冷却水温度が上昇し、凝縮器圧力高によって冷凍機トリップが生じてしまう可能性がある。或いは、冷凍機の冷凍能力発揮が既に冷却水温度に反映されているにも関わらず、必要以上のファン周波数、或いは必要以上のファン起動台数にて冷却塔を運転することにより余分な電力消費となる場合がある。
【００６６】
そこで、本実施形態においては、冷却水入口温度のトレンドをモニタし、冷却水入口温度の温度変化が所定範囲以下の場合に切替部４２ａ，４２ａ’を切り替える。
具体的には、冷凍機から出力される冷水出口温度と冷水出口目標温度との差が一定以下となり、かつ、所定期間以上経過した時にフラグＯＮとする。その後、冷却塔から冷凍機に流入される冷却水入口温度が、所定期間以上経過した時に冷却水入口温度目標温度を元に戻す（切替部４２ａをＡ側に切り替える、或いは、切替部４２ａ’をＣ側に切り替える）。
これは、冷水出口温度が安定した後に、冷却水入口温度が安定するからであり、つまり、冷却塔より先に冷凍機の出力が安定し、冷水出力が安定することを意味している。
【００６７】
図１１には、本実施形態に係る熱源システム１’の概略構成を示しており、図１と共通する箇所は説明を省略し、主に異なる点について説明する。
蒸発器２２は、冷水配管５１，５２が接続されており、冷水配管５１，５２を介して外部負荷５０から冷水Ｗ２が送給され、冷水Ｗ２と冷媒を熱交換させて蒸発させる。蒸発器２２にて冷却された冷水Ｗ２は外部負荷５０に供給される。
【００６８】
冷水配管５１は、外部負荷５０から蒸発器２２に冷水Ｗ２を流入させる配管であり、冷凍機２に流入される冷水Ｗ２の温度（以下「冷水入口温度Ｔ１」という。）を計測する温度センサ１５が設けられている。温度センサ１５で検出された冷水入口温度Ｔ１の情報は、冷却塔制御装置４に出力される。
冷水配管５２は、蒸発器２２から外部負荷５０に冷水Ｗ２を流入させる配管であり、冷凍機２から流出される冷水Ｗ２の温度（以下「冷水出口温度Ｔ２」という。）を計測する温度センサ１６が設けられている。温度センサ１６で検出された冷水出口温度Ｔ２の情報は、冷却塔制御装置４に出力される。
【００６９】
冷却塔制御装置４は、温度センサ１５で検出された冷水入口温度Ｔ１の情報、温度センサ１６で検出された冷水出口温度Ｔ２の情報、温度センサ１７で検出された冷却水入口温度Ｔ３の情報、および湿球温度計２３ａ，２３ｂ，２３ｃで計測された外気湿球温度の情報を取得する。
【００７０】
以下に、本実施形態に係る冷凍機制御装置の動作フローを図１２を用いて説明する。ここでは、第１の実施形態との組み合わせで用いる場合を例に挙げる。
湿球温度計２３ａ，２３ｂ，２３ｃで検出される外部湿球温度が、第２所定温度以上か否かが判定される（図１２のステップＳＤ１）。外部湿球温度が第２所定温度未満と判定された場合には（図１２のステップＳＤ１のＮｏ）、切替部４２ａがＡ側に接続され、冷却水入口目標温度を第１目標温度とし（図１２のステップＳＤ６）、第１目標温度と冷却水入口温度Ｔ３との偏差が低減するようにファン周波数をＰＩ制御する制御量としてファン周波数指令値を求め、ファン周波数指令値に基づいて冷却塔３を制御し、ステップＳＤ１に戻る。
【００７１】
外部湿球温度が、第２所定温度以上であると判定された場合には（図１２のステップＳＤ１のＹｅｓ）、新たな冷凍機２が起動されたか否かが判定される（図１２のステップＳＤ２）。新たな冷凍機２が起動されていない場合には（図１２のステップＳＤ２のＮｏ）、ステップＳＤ６に進む。新たな冷凍機２が起動された場合には（図１２のステップＳＤ２のＹｅｓ）、切替部４２ａがＢ側に接続され、冷却水入口目標温度として、第１目標温度からオフセット値を減算した第２目標温度を算出する（図１２のステップＳＤ３）。
【００７２】
温度センサ１６により検出された冷水出口温度Ｔ２と、冷水出口温度に目標として設定される冷水出口目標温度との差が、第３所定温度以下で、第３所定期間経過したか否かが判定される（図１２のステップＳＤ４）。第３所定期間経過していなければ、ステップＳＤ４を繰り返す。第３所定期間経過していれば、温度センサ１７により検出された冷却水入口温度Ｔ３の変化量が、設定値以下で、かつ、第４所定期間経過したか否かが判定される（図１２のステップＳＤ５）。冷却水入口温度Ｔ３の変化量が設定値以下で、かつ、第４所定期間経過したか否かの判定がＮｏである場合には、ステップＳＤ５を繰り返し、本判定がＹｅｓである場合には、ステップＳＤ６に進み、切替部４２ａがＡ側に接続され、冷却水入口目標温度を第１目標温度とし、ステップＳＤ１に戻る。
【００７３】
なお、上記のフラグＯＮの条件に関し、冷水出口温度Ｔ２の条件に加えて、冷水入口温度Ｔ１の変化量が第５所定期間以下であることもフラグＯＮ条件とすれば、より信頼性が高まる。
また、状況によって、冷水出口温度Ｔ２と冷水出口目標温度との差が第３所定温度以下にならない可能性もあるので、そのような場合には別途、冷却水入口目標温度にオフセットをかける最長時間を設定しておき、最長時間を超過した場合には強制的にオフセットなしの状態に戻すこととしてもよい。
【００７４】
なお、本実施形態は、第１の実施形態と組み合わせることとして説明していたが、これに限定されず、第２の実施形態と組み合わせてもよい。
【００７５】
以上、本発明の実施形態について図面を参照して詳述してきたが、具体的な構成はこの実施形態に限られるものではなく、本発明の要旨を逸脱しない範囲の設計変更なども含まれる。
【符号の説明】
【００７６】
１、１’  熱源システム
２  冷凍機
３ａ、３ｂ、３ｃ  冷却塔
４  冷却塔制御装置
１０  冷却水ポンプ
１５、１６、１７  温度センサ
２３ａ、２３ｂ、２３ｃ  湿球温度計
５０  外部負荷
Ｗ１  冷却水
Ｗ２  冷水
【図１】
0006599182.tif 000002
【図２】
0006599182.tif 000003
【図３】
0006599182.tif 000004
【図４】
0006599182.tif 000005
【図５】
0006599182.tif 000006
【図６】
0006599182.tif 000007
【図７】
0006599182.tif 000008
【図８】
0006599182.tif 000009
【図９】
0006599182.tif 000010
【図１０】
0006599182.tif 000011
【図１１】
0006599182.tif 000012
【図１２】
0006599182.tif 000013